(57)【特許請求の範囲】
【請求項１】
開口を有する袋体として形成される吸収性物品であって、
略矩形状の吸収パッドを２つ折りにするとともに、折り曲げ端に連なる前記吸収パッドの側辺部を接合することによって形成された袋体と、
前記袋体の開口縁部に沿って設けられた帯状の巻き付け部材と、
上端側が前記吸収パッドの上辺部に固定されるとともに、下端側が前記上端側に折り返し可能とされた接合部材と、
を備え、
前記巻き付け部材は、前記吸収パッドの上辺部に設けられている、左右方向に延びる帯状体であって、前記接合部材の下端側に固定されており、前記開口から前記袋体内に挿入された陰茎に巻き付けられることにより、前記陰茎を前記開口付近で固定することを特徴とする吸収性物品。
【請求項２】
請求項１に記載の吸収性物品において、
前記接合部材の左右方向の幅は、前記吸収パッドの左右方向の幅より広いことを特徴とする吸収性物品。
【請求項３】
請求項１に記載の吸収性物品において、
前記吸収パッドの左右から張り出す前記巻き付け部の張り出し長さは、左右で相違することを特徴とする吸収性物品。
【請求項４】
請求項１ないし請求項３のいずれかに記載の吸収性物品において、
前記巻き付け部材の表面のうち着用者の肌と当接する当接面は、不織布によって形成されていることを特徴とする吸収性物品。
【請求項５】
請求項１ないし請求項４のいずれかに記載の吸収性物品において、
前記巻き付け部材は、ポリウレタンを基材とすることを特徴とする吸収性物品。
【請求項６】
請求項１ないし請求項５のいずれかに記載の吸収性物品において、
前記巻き付け部材の長手方向一端部に設けられており、前記陰茎の巻き付け時に前記巻き付け部材を止着することにより、前記巻き付け部材を筒状とする第１止着部材、
をさらに備えることを特徴とする吸収性物品。
【請求項７】
請求項６に記載の吸収性物品において、
前記巻き付け部材の長手方向他端部に設けられており、前記陰茎の巻き付け時に筒状とされた前記巻き付け部材を、前記袋体の前記開口縁部に止着する第２止着部材、
をさらに備えることを特徴とする吸収性物品。
【請求項８】
請求項７に記載の吸収性物品において、
前記巻き付け部材の巻き付け方向に沿った前記第２止着部材の長さは、前記巻き付け方向に沿った前記第１止着部材の長さより大きいことを特徴とする吸収性物品。
【発明の詳細な説明】
【技術分野】
【０００１】
本発明は、吸収パッドを折り曲げて袋状に形成された吸収性物品に関する。
【背景技術】
【０００２】
従来より、吸収パッドを折り曲げて形成された採尿袋が知られている（特許文献１）。特許文献１に開示されているように、着用者の陰茎は採尿袋内に収容される。そして、排尿時、陰茎から排出された尿は、採尿袋内で捕集される。
【０００３】
【特許文献１】特開２００２−３３６２８５号公報
【発明の開示】
【発明が解決しようとする課題】
【０００４】
しかし、特許文献１の採尿袋において、陰茎は取込口から挿入されているのみで、陰茎が採尿袋から外れる可能性がある。その結果、確実に尿が捕集されないという問題が生ずる。
【０００５】
そこで、本発明では、良好に尿を捕集することができる吸収性物品を提供することを目的とする。
【課題を解決するための手段】
【０００６】
上記の課題を解決するため、請求項１の発明は、開口を有する袋体として形成される吸収性物品であって、略矩形状の吸収パッドを２つ折りにするとともに、折り曲げ端に連なる前記吸収パッドの側辺部を接合することによって形成された袋体と、前記袋体の開口縁部に沿って設けられた帯状の巻き付け部材と、上端側が前記吸収パッドの上辺部に固定されるとともに、下端側が前記上端側に折り返し可能とされた接合部材と、を備え、前記巻き付け部材は、前記吸収パッドの上辺部に設けられている、左右方向に延びる帯状体であって、前記接合部材の下端側に固定されており、前記開口から前記袋体内に挿入された陰茎に巻き付けられることにより、前記陰茎を前記開口付近で固定することを特徴とする。
【０００９】
また、請求項２の発明は、請求項１に記載の吸収性物品において、前記接合部材の左右方向の幅は、前記吸収パッドの左右方向の幅より広いことを特徴とする。
【００１０】
また、請求項３の発明は、請求項１に記載の吸収性物品において、前記吸収パッドの左右から張り出す前記巻き付け部の張り出し長さは、左右で相違することを特徴とする。
【００１１】
また、請求項４の発明は、請求項１ないし請求項３のいずれかに記載の吸収性物品において、前記巻き付け部材の表面のうち着用者の肌と当接する当接面は、不織布によって形成されていることを特徴とする。
【００１２】
また、請求項５の発明は、請求項１ないし請求項４のいずれかに記載の吸収性物品において、前記巻き付け部材は、ポリウレタンを基材とすることを特徴とする。
【００１３】
また、請求項６の発明は、請求項１ないし請求項５のいずれかに記載の吸収性物品において、前記巻き付け部材の長手方向一端部に設けられており、前記陰茎の巻き付け時に前記巻き付け部材を止着することにより、前記巻き付け部材を筒状とする第１止着部材、をさらに備えることを特徴とする。
【００１４】
また、請求項７の発明は、請求項６に記載の吸収性物品において、前記巻き付け部材の長手方向他端部に設けられており、前記陰茎の巻き付け時に筒状とされた前記巻き付け部材を、前記袋体の前記開口縁部に止着する第２止着部材、をさらに備えることを特徴とする。
【００１５】
また、請求項８の発明は、請求項７に記載の吸収性物品において、前記巻き付け部材の巻き付け方向に沿った前記第２止着部材の長さは、前記巻き付け方向に沿った前記第１止着部の長さより大きいことを特徴とする。
【発明の効果】
【００１６】
請求項１ないし請求項８に記載の発明によれば、袋体とされた吸収性物品の開口付近で陰茎を固定することができる。そのため、尿を袋内で確実に捕集することができる。
また、陰茎を固定する巻き付け部材と、吸収パッドと、は別体とされており、吸収パッド自体は、陰茎の固定に使用されない。これにより、陰茎が固定される場所（すなわち、巻き付け部材が設けられている開口付近）におけるかさばり感が抑制され、着用者への締め付け感が少ない。そのため、着用者は、良好な着用感を得ることができる。
また、接合部材が折り返されつつ、巻き付け部が陰茎に巻き付けられると、袋体の開口は、折り返された接合部材によって塞がれる。そのため、一旦袋体内で捕集された尿が開口を介して袋体外に漏れることを防止できる。
【００１９】
特に、請求項２に記載の吸収性物品によれば、接合部材の左右方向の幅が吸収パッドの左右方向の幅より広く設定されており、袋体の開口は、折り返された接合部材によってさらに良好に塞がれる。そのため、一旦袋体内で捕集された尿が袋体外に漏れることをさらに良好に防止できる。
【００２０】
特に、請求項３に記載の吸収性物品において、巻き付け部材の張り出し長さの小さい方を内側にして陰茎に巻き付けると、巻き付け時の筒体内側でかさばる巻き付け部材の量（長さ）を抑制できる。そのため、陰茎の巻き付け作業を、陰茎サイズによらず良好に行うことができる。また、巻き付け直し作業についても、容易に行うことができる。
【００２１】
特に、請求項４に記載の発明によれば、巻き付け部材のうち着用者の肌と当接する当接面は、肌触りの良い不織布によって形成されている。そのため、着用者は、良好な着用感を得ることができる。
【００２２】
特に、請求項５に記載の吸収性物品によれば、巻き付け部材は、柔らかく弾力性に富み、肌に沿った形状に変形するポリウレタンを基材としている。そのため、巻き付け部を陰茎に容易に巻き付けることができ、陰茎を開口付近で容易に固定することができる。
【００２３】
特に、請求項６に記載の吸収性物品によれば、陰茎に巻き付けられて筒状とされた巻き付け部材は、第１止着部材によって止着される。これにより、着用者の陰茎は、筒体とされた巻き付け部材に保持される。そのため、巻き付け部材によって陰茎を開口付近で確実に固定することができる。
【００２４】
特に請求項７に記載の吸収性物品によれば、陰茎の巻き付け時において、袋体の開口縁部に筒状とされた巻き付け部材を止着することができる。これにより、袋体の開口を良好に塞ぐことができる。そのため、一旦袋体内で捕集された尿が袋体外に漏れることをさらに良好に防止できる。
【００２５】
特に、請求項８に記載の吸収性物品によれば、筒状とされた巻き付け部材は、開口縁部の広い範囲で止着される。そのため、袋体からの尿漏れをさらに良好に防止できる。
【発明を実施するための最良の形態】
【００２６】
以下、図面を参照しつつ本発明の実施の形態について詳細に説明する。
【００２７】
＜１．第１の実施の形態＞
＜１．１．採尿袋の全体構成＞
図１は、採尿袋１の使用態様を説明するための断面図である。図２は、本実施の形態における採尿袋１を示す斜視図である。図３は、採尿袋１を形成する吸収パッド５の平面図である。図４は、図３の吸収パッド５をＶＩ−ＶＩ’線から見た断面図である。図５は、図３の吸収パッド５をＶＩＩ−ＶＩＩ’線から見た断面図である。なお、図３および以降の各図には、それらの方向関係を明確にすべく必要に応じて適宜、Ｚ軸方向を鉛直方向とし、ＸＹ平面を水平面とするＸＹＺ直交座標系が付されている。
【００２８】
採尿袋１は、男性の排泄物や体液（例えば、尿）を捕集する吸収性物品である。図１に示すように、採尿袋１は、おむつや下着等の着用物品９とともに使用され、例えば、排尿時の尿を吸収する。なお、採尿袋１は、おむつとともに使用される場合、補助的な吸収具として使用される。
【００２９】
採尿袋１は、平面視略矩形状の吸収パッド５（図３参照）によって形成されており、この吸収パッド５は、次の手順により袋体の採尿袋１とされる。まず、吸収パッド５の上辺部２５と下辺部２６とが重なるように、吸収パッド５が折り曲げ端２１を中心として折り返される。これにより、表面シート３０は袋体内となり、背面シート４０は袋体の外表面を構成することになる。
【００３０】
なお、「矩形」には、長方形だけでなく、正方形も含まれるものとする。また、採尿袋１は、開口１８を有する袋体として形成されていればよく、採尿袋１の形成手順は、上述のものに限定されない。
【００３１】
次に、折り曲げ端２１に連なる側辺部が接合される。すなわち、折り曲げられることによって重なり合う左側辺部２２の上半部と下半部とが接合される。また、重なり合う右側辺部２３の上半部と下半部とが接合される。なお、側辺部における接合は、熱接着、超音波接着、あるいは、ホットメルト等のように接合部位にエネルギーを付与する手法によって実現されている。
【００３２】
このような手順により、吸収パッド５は、上辺部２５側および下辺部２６側を開口１８とする袋体（採尿袋１）とされる。採尿袋１の着用者（以下、単に、「着用者」とも呼ぶ）の陰茎は、この開口１８から採尿袋１内の捕集空間３５（図１参照）に挿入される。
【００３３】
図３に示すように、袋体を構成する吸収パッド５は、主として、表面シート３０と、背面シート４０と、吸収体５１と、を有している。ここで、図３に示すように、吸収パッド５の各角部は、丸みを持った弧状に形成されている。そのため、吸収パッド５の各角部が着用者の肌に引っ掛かり、着用者の肌が傷つけられるという問題は生じない。
【００３４】
表面シート３０は、平面視略矩形状のシート材であり、吸収体５１を固定するために使用される。図３に示すように、表面シート３０は、上辺部２５側と下辺部２６との間に設けられている。また、表面シート３０は、採尿袋１内に挿入された着用者の陰茎と接触するため、肌触りの良い素材によって形成されている。
【００３５】
ここで、表面シート３０の素材としては、通常使い捨ておむつに使われる透液性のシート材料、例えば、（１）親水性繊維（セルロース、レーヨン、コットン等）を用いた不織布材料、（２）疎水性繊維（ポリプロピレン、ポリエチレン、ポリエステル、ポリアミド、ナイロン等）の表面を界面活性剤により処理し透液性とした不織布材料、あるいは、（３）開孔を有するプラスティックフィルム等、が用いられる。
【００３６】
吸収体５１は、図３ないし図５に示すように、平面視略矩形状の板体である。吸収体５１は、表面シート３０に包被されており、表面シート３０と吸収体５１とが接触する部位は、接着剤によって接着されている。また、吸収体５１は、例えば、粉砕したパルプ繊維やセルロース繊維等の親水性繊維集合層に粒状のポリマー（高分子吸水体）を混合した吸収コアと、この吸収コアを包被する被膜シート（例えば、ティッシュペーパー）と、を有している。これにより、採尿袋１内の捕集空間３５に排出された尿は、吸収体５１によって吸収される。
【００３７】
背面シート４０は、表面シート３０と同様に、平面視略矩形状のシート材であり、図４および図５に示すように、主として、透液性の不織布で構成される透液シート４１と、撥水シート４２と、を有している。これら透液シート４１および撥水シート４２は、例えば、接着剤によって貼り合わされている。
【００３８】
ここで、透液シート４１の素材としては、表面シート３０と同様に、例えば、（１）親水性繊維を用いた不織布材料、（２）疎水性繊維の表面を界面活性剤により処理し透液性とした不織布材料、あるいは、（３）開孔を有するプラスティックフィルム等、が用いられる。
【００３９】
また、撥水シート４２の素材としては、撥水性のシート材料、あるいは液不透過性のシート材料、好ましくは、通常使い捨ておむつに用いられる撥水性不織布材料（スパンボンド不織布、メルトブロー不織布、ＳＭＳ不織布等）、あるいはプラスティックフィルム（通気性であっても非通気性であっても良いが、より快適な態様としては通気性プラスティックフィルム）、が用いられる。さらに、撥水シート４２は、これらの材料を複合して形成されてもよい。
【００４０】
ここで、図４に示すように、透液シート４１と撥水シート４２との間には、多数の粒状ポリマー（高分子吸収体）６１が、分散して配置されている。また、背面シート４０は、透液シート４１と表面シート３０とが対向するように、配設されている。したがって、吸収体５１で吸収された尿は、採尿袋１外にしみ出ることなく捕集される。
【００４１】
上辺部２５側および下辺部２６側のシール部７０は、図３および図４に示すように、表面シート３０と背面シート４０とを接合する部位である。また、図４および図５に示すように、表面シート３０に包被された吸収体５１は、背面シート４０と接合されておらず、吸収体５１は、背面シート４０に拘束されず膨張することができる。
【００４２】
また、図１に示すように、背面シート４０は、各シール部７０において襞状に折り畳まれた状態で接合されており、背面シート４０には、複数の襞２８が形成されている。各襞２８は、上辺部２５側から下辺部２６側（すなわち、背面シート４０の長手方向、またはＹ軸方向）に延びる折り目である。背面シート４０が左右方向（すなわち、Ｘ軸方向）に引き伸ばされると、背面シート４０の左側辺部２２および右側辺部２３は、中膨らみの円弧状に突出し、背面シート４０の面積が増大する。
【００４３】
したがって、吸収体５１が尿を吸収して膨張した場合であっても、吸収体５１と背面シート４０との間に空間を確保することができる。そのため、吸収体５１は、襞２８を有しない場合と比較して、より多くの尿を蓄積することができる。
【００４４】
なお、各シール部７０における接合は、左右側辺部２２、２３の接合と同様に、熱接着、超音波接着、あるいは、ホットメルト等のように接合部位にエネルギーを付与する手法によって実現されている。
【００４５】
固定部材１３は、吸収パッド５の上辺部２５に設けられている。吸収パッド５が袋体とされると、固定部材１３は、開口１８付近に位置し、採尿袋１内に挿入された着用者の陰茎を固定する。なお、固定部材１３の詳細については、後述する。
【００４６】
＜１．２．固定部材の構成＞
図６は、固定部材１３の構成の一例を示す平面図である。図６に示すように、固定部材１３は、主として、接合部材１１と、巻き付け部材１２と、を有している。接合部材１１は、平面視略矩形状のシート材であり、図３および図６に示すように、接合部材１１の上端１１ｂ側は、吸収パッド５の上辺部２５に固定されている。一方、接合部材１１の下端１１ｃ側は、折り返し線１１ａを中心にして上端１１ｂ側に折り返し可能とされている。また、図３に示すように、接合部材１１の左右方向の幅Ｗ１は、吸収パッド５の左右方向の幅Ｗ２より広くなるように設定されている。
【００４７】
さらに、接合部材１１の各角部は、丸みを持った弧状に形成されている。そのため、接合部材１１の各角部が着用者の肌に引っ掛かり、着用者の肌が傷つけられるという問題は生じない。
【００４８】
巻き付け部材１２は、開口１８から採尿袋１内に挿入された陰茎に巻き付けられることにより、陰茎を開口１８付近で固定する。図２に示すように、巻き付け部材１２は、採尿袋１の開口縁部１８ａに沿って設けられた帯状の部材である。また、図３に示すように、巻き付け部材１２は、左右方向に延びるシート材であり、袋体から平面状に展開された吸収パッド５の上辺部２５に設けられている。
【００４９】
また、図４ないし図６に示すように、巻き付け部材１２は、接合部材１１の下端１１ｃ側と接合されており、接合部材１１が非折り曲げ姿勢の場合において、巻き付け部材１２は、表面シート３０と対向する。さらに、巻き付け部材１２は、吸収パッド５の左右から張り出す張り出し長さＰＲ１、ＰＲ２が左右で相違するように形成されている。
【００５０】
さらに、巻き付け部材１２の各角部は、接合部材１１と同様に、丸みを持った弧状に形成されている。そのため、接合部材１１の各角部が着用者の肌に引っ掛かり、着用者の肌が傷つけられるという問題は生じない。
【００５１】
第１および第２止着部材１５ａ、１５ｂは、面ファスナーのフック側として機能する。図３および図６に示すように、第１および第２止着部材１５ａ、１５ｂは、それぞれ巻き付け部材１２の左右方向（長手方向）の一端部１２ｂおよび他端部１２ｃに設けられている。さらに、図３および図６に示すように、第２止着部材１５ｂの左右方向の長さＬ２は、第１止着部材１５ａの左右方向の長さＬ１より大きくなるように設定されている。すなわち、巻き付け部材１２の巻き付け方向に沿った第２止着部材１５ｂの長さＬ２は、第１止着部材１５ａの長さＬ１より大きい。
【００５２】
ここで、第１止着部材１５ａは、陰茎の巻き付け時に筒状とされた巻き付け部材１２の主面を止着する（図１および図８参照）。すなわち、巻き付け部材１２の主面は、面ファスナーのループ側として機能する。
【００５３】
また、第２止着部材１５ｂは、陰茎の巻き付け時に筒状とされた巻き付け部材１２を、吸収パッド５の下辺部２６に止着する（図１および図８参照）。すなわち、吸収パッド５の下辺部２６は、面ファスナーのループ側として機能し、巻き付け部材１２は、開口縁部１８ａに止着される。
【００５４】
図７および図８は、接合部材１１および巻き付け部材１２によって陰茎を固定する手法を説明するための図である。開口１８から採尿袋１内に挿入された陰茎は、次の手順によって開口１８付近で固定される。
【００５５】
まず、接合部材１１の下端１１ｃ側が、折り返し線１１ａを中心にして矢印ＡＲ１方向に折り返される。これにより、接合部材１１の上端１１ｂと下端１１ｃとは重なり合い、巻き付け部材１２の当接面１２ａは、採尿袋１内に挿入された着用者の陰茎と対向する（図７参照）。
【００５６】
次に、巻き付け部材１２の一端部１２ｂが矢印ＡＲ２方向に、他端部１２ｃが矢印ＡＲ３方向に、それぞれ折り返される。そして、筒状とされた巻き付け部材１２（図８参照）の直径と、が略同一となるように、陰茎に巻き付け部材１２が巻き付けられて、着用者の陰茎が、開口１８付近で固定される。
【００５７】
このとき、巻き付け部材１２の一端部１２ｂが、筒体とされた巻き付け部材１２の内周側となるように折り返され、第１止着部材１５ａは、巻き付け部材１２の当接面１２ａを止着する。そのため、着用者の陰茎は、筒体とされた巻き付け部材１２によって保持され、開口１８付近で確実に固定される。
【００５８】
また、第２止着部材１５ｂは、筒体とされた巻き付け部材１２を下辺部２６側に止着する。これにより、下辺部２６側の開口１８は、良好に塞がれる。そのため、一旦採尿袋１内で捕集された尿が採尿袋１外に漏れることを良好に防止できる。特に、本実施の形態のように、筒体とされた巻き付け部材１２が下辺部２６側の広い範囲で止着される場合、採尿袋１からの尿漏れをさらに良好に防止できる。
【００５９】
このように、巻き付け部材１２は、採尿袋１の開口１８付近で陰茎を固定することができる。そのため、尿を採尿袋１内で確実に捕集することができる。また、陰茎を固定する巻き付け部材１２と、吸収パッド５とは別体とされており、吸収パッド５自体は、陰茎の固定に使用されない。これにより、巻き付け部材１２におけるかさばり感が抑制され、締め付け感が少ない。そのため、着用者は、良好な着用感を得ることができる。
【００６０】
特に、本実施の形態のように、巻き付け部材１２の張り出し長さの小さい方（一端部１２ｂ側）を内側にして陰茎に巻き付ける場合、巻き付け時において内側でかさばる巻き付け部材１２の量（長さ）を抑制できる。そのため、陰茎の巻き付け作業を、陰茎サイズによらず良好に行うことができる。また、巻き付け直し作業についても、容易に行うことができる。
【００６１】
また、接合部材１１が折り返されつつ、巻き付け部材１２が陰茎に巻き付けられると、採尿袋１の開口１８は、折り返された接合部材１１によって塞がれる。そのため、一旦採尿袋１内で捕集された尿が開口を介して採尿袋１外に漏れることを防止できる。特に、本実施の形態のように、接合部材１１の左右方向の幅Ｗ１が吸収パッド５の左右方向の幅Ｗ２より広く設定されている場合、採尿袋１外への漏れは、さらに良好に防止される。
【００６２】
図９は、図６の巻き付け部材１２をＶＩＩＩ−ＶＩＩＩ’線から見た断面図である。図９に示すように、巻き付け部材１２は、柔らかく弾力性に富み、肌に沿った形状に変形するポリウレタン（弾性部材）を基材１４ａとして使用している。そのため、巻き付け部材１２は、着用者の陰茎に容易に巻き付けられる。そのため、陰茎は、開口１８付近で容易に固定される。
【００６３】
また、巻き付け部材１２の主面のうち、少なくとも着用者の肌と当接する着用者の肌と当接する当接面１２ａ（図７参照）は、肌触りの良い不織布によって形成されている。そのため、着用者は、良好な着用感を得ることができる。
【００６４】
なお、巻き付け部材１２だけでなく接合部材１１も、ポリウレタンのような弾力性に富む部材を基材として使用し、着用者の肌と当接する当接面を不織布によって形成してもよい。この場合、着用者の陰茎は、開口１８付近でさらに容易に固定され、着用者はさらに良好な着用感を得ることができる。
【００６５】
＜１．３．第１の実施の形態の採尿袋の利点＞
以上のように、第１の実施の形態の採尿袋１は、採尿袋１の開口１８付近で陰茎を固定することができる。そのため、尿を採尿袋１内で確実に捕集することができる。また、陰茎を固定する巻き付け部材１２と、吸収パッド５と、は別体とされており、吸収パッド５自体は、陰茎の固定に使用されない。これにより、巻き付け部材１２におけるかさばり感が抑制され、締め付け感が少ない。そのため、着用者は、良好な着用感を得ることができる。
【００６６】
＜２．第２の実施の形態＞
次に、本発明の第２の実施の形態について説明する。第２の実施の形態における採尿袋１００は、第１の実施の形態と比較して、吸収パッドの構成が異なる点を除いては、第１の実施の採尿袋１と同様である。そこで、以下ではこの相違点を中心に説明する。
【００６７】
なお、以下の説明において、第１の実施の形態の採尿袋１における構成要素と同様な構成要素については同一符号を付している。これら同一符号の構成要素は、第１の実施の形態において説明済みであるため、本実施の形態では説明を省略する。
【００６８】
＜２．１．採尿袋の全体構成＞
図１０は、採尿袋１００を形成する吸収パッド１０５の平面図である。図１１は、図１０の吸収パッド１０５をＶＩＶ−ＶＩＶ’線から見た断面図である。図１２は、図１０の吸収パッド１０５をＶＶ−ＶＶ’線から見た断面図である。
【００６９】
本実施の形態の採尿袋１００は、平面視略矩形状の吸収パッド１０５（図１０参照）によって形成される。すなわち、採尿袋１００は、第１の実施の形態の吸収パッド５と同様に、（１）吸収パッド１０５の上辺部２５と下辺部２６とが重なるように吸収パッド１０５が折り曲げ端２１を中心として折り返され、続いて、（２）折り曲げ端２１に連なる側辺部が接合されることにより、袋体として形成される。なお、図１０に示すように、吸収パッド１０５の各角部は、第１の実施の形態の吸収パッド１０５と同様に、丸みを持った弧状に形成されている。そのため、吸収パッド１０５の各角部が着用者の肌に引っ掛かり、着用者の肌が傷つけられるという問題は生じない。
【００７０】
図１０ないし図１２に示すように、吸収パッド１０５は、主として、表面シート１３０と、背面シート１４０と、吸収体５１と、を有しており、表面シート１３０および背面シート１４０の間に吸収体５１が挟み込まれることによって形成される。表面シート１３０および背面シート１４０のそれぞれは、平面視略矩形状のシート材であり、少なくとも、上辺部２５側および下辺部２６側のシール部１７０で接合されている。
【００７１】
ここで、表面シート１３０の素材としては、第１の実施の形態の表面シート３０と同様に、例えば、（１）親水性繊維を用いた不織布材料、（２）疎水性繊維の表面を界面活性剤により処理し透液性とした不織布材料、あるいは、（３）開孔を有するプラスティックフィルム等、が用いられる。
【００７２】
また、背面シート１４の素材としては、第１の実施の形態の撥水シート４２と同様に、撥水性のシート材料、あるいは液不透過性のシート材料、好ましくは、通常使い捨ておむつに用いられる撥水性不織布材料、あるいはプラスティックフィルム、が用いられる。
【００７３】
また、図１０に示すように、固定部材１３は、吸収パッド１０５の上辺部２５には、主として、接合部材１１と、巻き付け部材１２とを有する固定部材１３が設けられている。吸収パッド１０５が袋体とされると、第１止着部材１５ａによって筒状とされた巻き付け部材１２は、採尿袋１００内に挿入された着用者の陰茎を固定する。なお、固定部材１３、および第１および第２止着部材１５ａ、１５ｂの構成については、第１の実施の形態で説明済みであり、ここでは説明を省略する。
【００７４】
＜２．２．第２の実施の形態の採尿袋の利点＞
以上のように、第２の実施の形態の採尿袋１００は、第１の実施の形態の採尿袋１と同様に、開口１８付近で陰茎を固定することができる。そのため、尿を採尿袋１０５内で確実に捕集することができる。また、陰茎を固定する巻き付け部材１２と、吸収パッド１０５とは別体とされており、吸収パッド１０５自体は陰茎の固定に使用されない。これにより、巻き付け部材１２におけるかさばり感が抑制され、締め付け感が少ない。そのため、着用者は良好な着用感を得ることができる。
【００７５】
＜３．変形例＞
以上、本発明の実施の形態について説明してきたが、本発明は上記実施の形態に限定されるものではなく様々な変形が可能である。
【００７６】
（１）第１および第２の本実施の形態では、接合部材１１が非折り曲げ姿勢の場合、巻き付け部材１２は表面シート３０と対向する位置に固定されているものとして説明したが、巻き付け部材１２の固定位置はこれに限定されるものでない。例えば、接合部材１１が折り曲げ姿勢の場合において、巻き付け部材１２は、２つ折りにされた接合部材１１に挟まれるように固定されていてもよい。
【００７７】
（２）また、第１および第２の実施の形態において、着用者の陰茎の固定に使用される接合部材１１および巻き付け部材１２のうちの少なくとも巻き付け部材１２に、弾性を付与してもよい。例えば、図９のように構成された巻き付け部材１２の場合、基材１４ａと不織布１４ｂとの間に左右方向に延びるゴム体を接着する。これにより、巻き付け部材１２は、巻き付け方向に伸縮可能とされ、着用者の陰茎に対してさらに容易に巻き付けられる。そのため、着用者の陰茎は、開口１８付近でさらに容易に固定されることになる。
【００７８】
（３）さらに、第２の実施の形態において、吸収パッド１０５は、表面シート１３０および背面シート１４０の間に吸収体５１が挟み込まれることによって形成されるものとして説明したが、これに限定されるものでない。例えば、表面シート１３０と背面シート１４０との間には、多数の粒状ポリマー（高分子吸収体）が分散して配置されてもよい。
【図面の簡単な説明】
【００７９】
【図１】本発明の第１の実施の形態における採尿袋の使用態様を説明するための断面図である。
【図２】本発明の第１および第２の実施の形態における採尿袋を示す斜視図である。
【図３】第１の実施の形態における採尿袋を平面状に展開した図である。
【図４】図３の吸収パッドをＶＩ−ＶＩ’線から見た断面図である。
【図５】図３の吸収パッドをＶＩＩ−ＶＩＩ’線から見た断面図である。
【図６】固定部材の構成の一例を示す平面図である。
【図７】接合部材および巻き付け部材によって陰茎を固定する手法を説明するための図である。
【図８】接合部材および巻き付け部材によって陰茎を固定する手法を説明するための図である。
【図９】図６の巻き付け部をＶＩＩＩ−ＶＩＩＩ’線から見た断面図である。
【図１０】本発明の第２の実施の形態における採尿袋を平面状に展開した図である。
【図１１】図１０の吸収パッドをＶＩＶ−ＶＩＶ’線から見た断面図である。
【図１２】図１０の吸収パッドをＶＶ−ＶＶ’線から見た断面図である。
【符号の説明】
【００８０】
１  採尿袋
５  吸収パッド
１１  接合部材
１１ａ  折り返し線
１１ｂ  上端
１１ｃ  下端
１２  巻き付け部材
１２ａ  当接面
１２ｂ  一端部
１２ｃ  他端部
１３  固定部材
１４ａ  基材
１４ｂ  不織布
１５ａ  第１止着部材
１５ｂ  第２止着部材
１８  開口
２１  折り曲げ端
２２  左側辺部
２３  右側辺部
２５  上辺部
２６  下辺部
３０  表面シート
３５  捕集空間
４０  背面シート
５１  吸収体
【図１】
0004949985.tif 000002
【図２】
0004949985.tif 000003
【図３】
0004949985.tif 000004
【図４】
0004949985.tif 000005
【図５】
0004949985.tif 000006
【図６】
0004949985.tif 000007
【図７】
0004949985.tif 000008
【図８】
0004949985.tif 000009
【図９】
0004949985.tif 000010
【図１０】
0004949985.tif 000011
【図１１】
0004949985.tif 000012
【図１２】
0004949985.tif 000013